(57)【要約】【課題】球面収差を抑えつつ、非点収差も抑えられる光ピックアップ装置およびそれを搭載する光ディスク装置を提供する。【解決手段】ビーム整形ミラー１６を介した光を対物レンズ１８に入射させ、光ディスク４１まで導いている光ピックアップ装置５９であって、ビーム整形ミラー１６に入射する光を無限系の光にするコリメータレンズ１５が搭載されており、ビーム整形ミラー１６は、無限系の光を有限系の光にする回折格子１を含んでいる。【選択図】図１
2008140502.tif 000002
【特許請求の範囲】
【請求項１】
ビーム整形ミラーを介した光を対物レンズに入射させ、光ディスクまで導いている光ピックアップ装置を搭載する光ディスク装置であって、
上記ビーム整形ミラーに入射する光を無限系の光にするコリメータレンズが搭載されており、
上記ビーム整形ミラーは、
光軸の調整機能も有した下記（１）の回折格子を含むとともに、上記ビーム整形ミラー内での上記光の光路の中間に、上記回折格子を位置させることで、
波長の長短の違いにより２種に分けられた上記光のうちの長い波長に対応する光から成る無限系の光を有限系の光にしており、
（１）  上記回折格子は、同心円状の部分を有し、その同心円状の中心を回折格子で          の面内における中心からずらして配置させているとともに、格子幅を上記同心          円状の中心から外部に向かうにつれて狭めている。
光源は複数搭載されており、
上記の分けられた光のうち、短い方の波長の光の強度分布中心と、長い方の波長の光の強度分布中心とを、上記ビーム整形ミラーを通過した後で一致させるように、上記光源が配置され、
上記コリメータレンズは、上記光ディスクからの反射光を透過させるとともに、上記の分けられた光のうち、短い方の波長の反射光の集光点と、長い方の波長の反射光の集光点とを一致させている光ディスク装置。
【請求項２】
補正用光学素子を介した光を対物レンズに入射させ、光ディスクまで導いている光ピックアップ装置であって、
上記補正用光学素子に入射する光を無限系の光にするコリメータレンズが搭載されており、
上記補正用光学素子は、上記無限系の光を有限系の光にする回折格子を含んでいる光ピックアップ装置。
【請求項３】
上記回折格子は、光軸の調整機能も有している請求項２に記載の光ピックアップ装置。
【請求項４】
上記補正用光学素子内での上記光の光路の中間に、上記回折格子が位置している請求項２または３に記載の光ピックアップ装置。
【請求項５】
上記回折格子は、
同心円状の部分を有し、その同心円状の中心を回折格子での面内における中心からずらして配置させているとともに、
格子幅を上記同心円状の中心から外部に向かうにつれて狭めている請求項２〜４のいずれか１項に記載の光ピックアップ装置。
【請求項６】
波長の長短の違いにより、上記光は２種に分けられ、そのうちの長い波長に対応する光から成る無限系の光が、上記補正用光学素子によって有限系の光に変化されている請求項２〜５のいずれか１項に記載の光ピックアップ装置。
【請求項７】
上記補正用光学素子は、ビーム整形ミラーである請求項２〜６のいずれか１項に記載の光ピックアップ装置。
【請求項８】
光源が複数搭載されており、
上記の分けられた光のうち、短い方の波長の光の強度分布中心と、長い方の波長の光の強度分布中心とを、上記補正用光学素子を通過した後で一致させるように、上記光源が配置されている請求項６または７に記載の光ピックアップ装置。
【請求項９】
上記コリメータレンズは、上記光ディスクからの反射光を透過させるとともに、上記の分けられた光のうち、短い方の波長の反射光の集光点と、長い方の波長の反射光の集光点とを一致させている請求項６〜８に記載の光ピックアップ装置。
【請求項１０】
請求項２〜９のいずれか１項に記載の光ピックアップ装置を搭載する光ディスク装置。
【発明の詳細な説明】
【技術分野】
【０００１】
本発明は、光ディスクに光ビームを照射して情報の読取りや書込みを行う光ピックアップ装置、およびそれを搭載する光ディスク装置に関するものである。
【背景技術】
【０００２】
昨今、次世代ＤＶＤ（Digital Versatile Disk）の１つであるブルーレイディスク（Blu-ray Disc；ＢＤ）、ＣＤ（Compact Disc）、ＤＶＤ等の光ディスクが普及している。かかる光ディスクの記録再生を行う場合、光ディスクに光ビーム（例えば、レーザ光）を照射して情報の読取りや情報の書込みを行う光ピックアップ装置が用いられる。
【０００３】
光ピックアップ装置には、対物レンズが備えられており、かかる対物レンズがレーザ光を集光して光ディスクへと照射する。このような光ディスクへの照射において、問題となるのがレーザ光に生じる諸収差（球面収差や非点収差等）である。諸収差が生じてしまうと、光ディスクにおけるレーザ光のスポット径が所望形状からかけ離れてしまうためである。
【０００４】
かかるような諸収差の一因として、対物レンズに対するレーザ光の入射角、詳説すると、対物レンズのレンズ軸に対し傾斜したレーザ光の入射が挙げられる。従来、図５に示すように、補正用光学素子１１６によって、１種類のレーザ光（波長λ１’；ＢＤ用）を対物レンズ１１８のレンズ軸に平行に入射させることは可能であった。
【０００５】
しかし、昨今の複数の光ディスクに対応している光ピックアップ装置であると、波長毎に異なってしまう補正用光学素子１１６の屈折率に起因し、他種のレーザ光｛波長λ２’（ＤＶＤ用）、波長λ３’（ＣＤ用）｝は、対物レンズ１１８のレンズ軸に対し傾斜して入射していた（図５参照）。
【０００６】
このような対物レンズ１１８に傾斜した入射への対策としては、図６および図７に示される技術がある。図６は、回折格子１０１を有するビーム成形ミラー（補正用光学素子）１１６を示している。このようなビーム成形ミラー１１６は、回折格子１０１を用いることで、３種のレーザ光の光軸を同方向に揃えている。
【０００７】
一方、図７は、特許文献１に開示され光ピックアップ装置１５９を示している。この光ピックアップ装置１５９は、全反射膜と波長選択膜とを有する補正用光学素子１１６によって、異種の波長のレーザ光の光軸を対物レンズ１１８のレンズ軸に対して平行に調整している。
【０００８】
このように図６および図７に示される補正用光学素子１１６であれば、対物レンズ１１８に対するレーザ光の入射角は適切に調整される。しかしながら、図７に示す光ピックアップ装置１５９のように、コリメータレンズ１１５を通過する無限系のレーザ光は、補正光学素子１１６を介して、無限系のまま対物レンズ１１８に入射する。すると、以下のような問題が生じる。
【０００９】
その問題は、ＢＤ用の無限系のレーザ光に合わせて、球面収差を生じさせないように設計された対物レンズ１１８に、ＤＶＤ・ＣＤ用の無限系のレーザ光が入射した場合、ＤＶＤ・ＣＤの光ディスク１４１にレーザ光が到達すると、そのレーザ光には球面収差が顕著に現れてしまうことである。
【００１０】
このような球面収差の抑制の一方策としては、例えば、図８に示すように、補正用光学素子１１６への入射光を有限系にすることで、出射光も有限系にすることが挙げられる。有限系の光が対物レンズ１１８に入射した場合に生じる球面収差は、無限系のレーザ光が対物レンズ１１８に入射した場合に生じる球面収差に比べて小さくなるからである。
【特許文献１】特開２００２−３０４７６１号公報
【発明の開示】
【発明が解決しようとする課題】
【００１１】
しかしながら、図８のように、補正用光学素子１１６に入射するレーザ光が有限系であり、さらに、出射するレーザ光も有限系である場合、有限系として進行するレーザ光の光路は極めて長くなる。その上、光路が長いことに起因して、有限系のレーザ光の発散度合いが高まる（すなわち非点収差が生じやすい）。そして、このように発散度合いの高いレーザ光が対物レンズ１１８に入射した場合、非点収差が顕著に現れやすい。したがって、かかる方策は得策ではない。
【００１２】
本発明は、上記の問題点を解決するためになされたものである。そして、その目的は、球面収差を抑えつつ、非点収差も抑えられる光ピックアップ装置と、それを搭載する光ディスク装置とを提供することである。
【課題を解決するための手段】
【００１３】
本発明は、補正用光学素子を介した光を対物レンズに入射させ、光ディスクまで導いている光ピックアップ装置である。そして、かかる光ピックアップ装置では、補正用光学素子に入射する光を無限系の光にするコリメータレンズが搭載されており、その補正用光学素子は、無限系の光を有限系の光にする回折格子を含んでいる。
【００１４】
また、かかる回折格子は、無限系の光を有限系の光に変化させる機能（発散光生成機能）を有するだけでなく、光軸の調整機能も有していると望ましい。
【００１５】
また、補正用光学素子内での光の光路の中間に、回折格子が位置していると望ましい。
【００１６】
なお、回折格子の形状は種々存在する。例えば、回折格子は、同心円状の部分を有し、その同心円状の中心を回折格子面内の面内中心からずらして配置させているとともに、格子幅を同心円状の中心から外部に向かうにつれて狭めているものが例として挙げられる。
【００１７】
また、波長の長短の違いにより、光は２種に分けられ、そのうちの長い波長に対応する光から成る無限系の光が、補正用光学素子によって有限系の光に変化されていると望ましい。
【００１８】
また、補正用光学素子は、ビーム整形ミラーであると望ましい。
【００１９】
また、光ピックアップ装置では、光源が複数搭載されており、分けられた光のうち、短い方の波長の光の強度分布中心と、長い方の波長の光の強度分布中心とを、補正用光学素子を通過した後で一致させるように、光源が配置されていると望ましい。
【００２０】
また、光ピックアップ装置では、コリメータレンズは、光ディスクからの反射光を透過させるとともに、分けられた光のうち、短い方の波長の反射光の集光点と、長い方の波長の反射光の集光点とを一致させていると望ましい。
【００２１】
なお、以上のような光ピックアップ装置を搭載する光ディスク装置も本発明といえる。
【００２２】
また、本発明であるビーム整形ミラーを介した光を対物レンズに入射させ、光ディスクまで導いている光ピックアップ装置を搭載した光ディスク装置を別表現すると、以下のようにいえる。すなわち、光ディスク装置では、ビーム整形ミラーに入射する光を無限系の光にするコリメータレンズが搭載されており、そのビーム整形ミラーは、
光軸の調整機能も有した下記（１）の回折格子を含むとともに、ビーム整形ミラー内での光の光路の中間に、回折格子を位置させることで、
波長の長短の違いにより２種に分けられた光のうちの長い波長に対応する光から成る無限系の光を有限系の光にしており、
（１）  回折格子は、同心円状の部分を有し、その同心円状の中心を回折格子面内の          面内中心からずらして配置させているとともに、格子幅を同心円状の中心から          外部に向かうにつれて狭めている。
光源は複数搭載されており、
分けられた光のうち、短い方の波長の光の強度分布中心と、長い方の波長の光の強度分布中心とを、ビーム整形ミラーを通過した後で一致させるように、光源が配置され、
コリメータレンズは、光ディスクからの反射光を透過させるとともに、分けられた光のうち、短い方の波長の反射光の集光点と、長い方の波長の反射光の集光点とを一致させている。
【発明の効果】
【００２３】
本発明によれば、補正用光学素子の存在、特にその補正用光学素子に形成されている回折格子によって、かかる補正用光学素子への入射前の光の系と出射後の光の系とが変化する。そのため、対物レンズに入射する光は、有限系の光であるものの、無限系の光の存在分だけ、有限系の光としての光路を短縮させている。かかるように有限系の光が短くなると、それに起因して、対物レンズに入射するまで光の発散度合いも小さくなる。その結果、光の発散度合いに起因する非点収差は減少する。
【発明を実施するための最良の形態】
【００２４】
［実施の形態１］
本発明の実施の一形態について、図面に基づいて説明すれば、以下の通りである。なお、図面によっては便宜上、部材番号等を省略する場合もあるが、かかる場合、他の図面を参照するものとする。
【００２５】
図１は、光ディスク装置に搭載されている光ピックアップ装置５９の構成を示す構成図である。この図に示すように、光ピックアップ装置５９は、２個のレーザダイオード（光源）１１・１２、ダイクロイックプリズム１３、ハーフミラー１４、コリメータレンズ１５、ビーム整形ミラー１６、液晶素子１７、対物レンズ１８、およびフォトダイオード１９を搭載している。
【００２６】
なお、液晶素子１７と対物レンズ１８とは、アクチュエータ２１に搭載されている。また、図１では、便宜上、光ディスク４１も図示されている。そして、かかる光ディスク４１に入射するレーザ光を“照射光”、光ディスク４１から反射するレーザ光を“戻り光”と称する。
【００２７】
以降では、まず、照射光の進行順に沿うようにして、各部材を説明する。
２個有るレーザダイオード（光源）のうちの一方であるレーザダイオード１１は、単一波長のレーザ光をダイクロイックプリズム１３に向けて出射する。他方のレーザダイオード１２は、複数波長のレーザ光をダイクロイックプリズム１３に向けて出射する。
【００２８】
そして、レーザダイオード１１は、次世代ＤＶＤ（Digital Versatile Disk）の１つであるブルーレイディスク（Blu-ray Disc；ＢＤ）に使用する波長４０５ｎｍのレーザ光を出射する。一方で、レーザダイオード１２は、ＣＤ（Compact Disc）およびＤＶＤに使用する波長７８５ｎｍおよび波長６６０ｎｍのレーザ光を出射する。したがって、光ピックアップ装置５９は、ＢＤ、ＣＤ、ＤＶＤの３形式の光学ディスクに対応可能になっている。
【００２９】
なお、レーザダイオード１１とレーザダイオード１２とは、ダイクロイックプリズム１３から出射する光、すなわち、レーザダイオード１１に基づくレーザ光の光軸とレーザダイオード１２に基づく光の光軸とをほぼ一致させるように配置されている。
【００３０】
ダイクロイックプリズム１３は、レーザダイオード１１・１２からのレーザ光を受光し、レーザダイオード１１から出射されたレーザを反射させる一方、レーザダイオード１２から出射されたレーザ光を透過させる。そして、ダイクロイックプリズム１３から出射する反射光および透過光は、ハーフミラー１４に向けて進行する。
【００３１】
ハーフミラー１４は、ダイクロイックプリズム１３から進行してくるレーザ光を反射させることで、コリメータレンズ１５導く。
【００３２】
コリメータレンズ１５は、ハーフミラー１４からの光（詳説すると、発散光）を平行光に変換して、ビーム整形ミラー１６へ導く。
【００３３】
ビーム整形ミラー１６は、入射する平行光を反射させ、液晶素子１７に導く。なお、ビーム整形ミラー１６の詳細については後述する。
【００３４】
液晶素子１７は、２枚の透明基板をシール材で貼り合わし、これらの基板同士の隙間に液晶（不図示）を注入している。また、液晶素子１７は、各々の透明基板における液晶側の一面に、収差補正に適した形状になった透明電極（例えば、ＩＴＯ；Indium-Tin-Oxide）を配置させるとともに、各々の透明電極における液晶側の一面に、配向膜を配置させている。
【００３５】
そして、液晶素子１７は、入射してくる光を通過させ、対物レンズ１８へ導く。ただし、液晶素子１７内の透明電極の形状と、透明電極間に印加される電圧によって変化する液晶（詳説すると、液晶分子）の傾きとに応じて、液晶素子１７を通過する光の位相は種々変化し、対物レンズ１８に到達する。
【００３６】
対物レンズ２１は、入射する光を光ディスク４１の記録面に集光させる。そして、このようにして集光した光は、液晶素子１７での位相調整によって、極力、諸収差（例えば、球面収差）を発生させないようになっている。したがって、液晶素子１７での透明電極の形状と、透明電極間に印加される電圧によって変化する液晶の傾きとは、光ディスク４１の記録面での集光のスポットに、球面収差等が生じないように設定されているといえる。
【００３７】
また、この対物レンズ１８は、波長４０５ｎｍで無限系の光を通過させる場合に球面収差を極力発生させないように設計されている。これは、最も厳しい条件（球面収差が発生しやすい波長条件）で球面収差を発生させないように設計しておけば、他の波長の光が対物レンズ１８を通過した場合にも、球面収差が生じにくくなるためである。
【００３８】
続いて、戻り光の進行順に沿うようにして、各部材を説明する。
光ディスク４１からの戻り光は、アクチュエータ２１に搭載された対物レンズ１８および液晶素子１７を通過した後に、ビーム整形ミラー１６、およびコリメータレンズ１５を介して、ハーフミラー１４に到達する。そして、ハーフミラー１４は、戻り光を反射させることなく透過させ、フォトダイオード１９に導く。
【００３９】
フォトダイオード１９は、光検出領域で受光した光信号を電気信号へと光電変換し、その電気信号を不図示のＲＦ（Radio Frequency）検出回路に送信する。そして、ＲＦ検出回路によって検出された電気信号は、情報を再生するための再生信号や、対物レンズ１８のフォーカス調整やトラッキング調整を行うためのフォーカスエラー信号やトラッキングエラー信号等として利用される。
【００４０】
ここで、ビーム整形ミラー（補正用光学素子）１６について詳説する。ビーム整形ミラー１６は、ガラスまたは透明樹脂等の透明部材によって構成されるとともに、誘電体多層膜等を含むことで、反射面１６ａを形成している。その上、ビーム整形ミラー１６は、反射面１６ａ、すなわちビーム整形ミラー１６内での光路の中間に、回折格子１を設けている。
【００４１】
この回折格子１は、種々の機能を担っている。例えば、ビーム整形ミラー１６の拡大図である図２に示すように、回折格子１は、コリメータレンズ１５からの光（無限系の光）における楕円状の強度分布αを、ビーム整形ミラー１６から出射後、真円状の強度分布βになるように調整する［かかる機能を光強度分布調整機能と称する］。これにより、光ディスク４１の記録面上に良好なスポット径が形成される。
【００４２】
また、回折格子１は、波長毎（λ１；４０５ｎｍ、λ２；６６０ｎｍ、λ３；７８５ｎｍ）での光軸方向の傾きズレを解消させている。通常、ビーム整形ミラー１６は、ある波長（例えば、λ１）の入射光と出射光とを所望の角度（９０°等）になるように設計されている。そのため、他の波長（λ２・λ３）の光がビーム整形ミラー１６に入射した後に出射すると、λ２・λ３の出射光の光軸方向とλ１の出射光の光軸方向とに傾きズレが生じてしまう。
【００４３】
かかる傾きズレが生じると、λ２・λ３の出射光のスポット径が所望形状になりにくい。そこで、回折格子１は、λ２・λ３の光を所望方向に回折させることで、ビーム整形ミラー１６から出射する各波長（λ１・λ２・λ３）に対応する光の光軸方向を同方向にしている［かかる機能を光軸調整機能と称する］。
【００４４】
また、回折格子１は、光軸調整機能を有するとともに、無限系の光を有限系の光に変化させている［かかる機能を系変化機能と称する］。通常、ビーム整形ミラー１６は、入射光と出射光との系（有限系または無限系）を変化させない。そのため、例えば、無限系の光がビーム整形ミラー１６に入射すれば、そのまま無限系の光として対物レンズ１８に向けて出射される。
【００４５】
そして、本実施形態での対物レンズ１８は、無限系でλ１のレーザ光の入射に起因する球面収差の発生を抑制するように設計されているので、かかるようなλ１のレーザ光では球面収差は生じない。しかし、一般的には、無限系の光が対物レンズ１８に入射すると、顕著な球面収差が生じてしまうので、無限系で他の波長（λ２・λ３）の光に起因する球面収差は生じてしまう。
【００４６】
球面収差抑制の方策として、有限系の光を対物レンズ１８に入射させることが知られている。しかし、この方策だと、有限系の光のために、対物レンズ１８の到達前に発生している非球面収差（λ２・λ３の光に起因する非球面収差）が、かかる対物レンズ１８を通過することで増長される。
【００４７】
すると、対物レンズ１８に入射直前は有限系の光であるものの、極力、非点収差を生じさせずに進行してくる光、例えば光路を短くしている有限系の光が望ましいことになる。そのために、回折格子１は、ビーム整形ミラー１６内での光路の中間（反射面１６ａ）に位置し、対物レンズ１８の設計外の波長であるλ２・λ３等で無限系の光を、有限系の光に変化させている。
【００４８】
このようになっていると、図２に示すように、ビーム整形ミラー１６に入射するまでのλ２・λ３の光（光路１での光）、ビーム整形ミラー１６での入射面１６ｂから反射面１６ａまでのλ２・λ３の光（光路２での光）は、無限系の光になる。一方で、回折格子１によって、ビーム整形ミラー１６の反射面１６ａから出射するまでのλ２・λ３の光（光路３での光）、ビーム整形ミラー１６からのλ２・λ３の出射光（光路４での光）は、有限系の光になる（下記表参照）。
光路１↓    光路２↓    光路３↓    光路４↓
λ１  →    無限系      無限系      無限系      無限系
λ２  →    無限系      無限系      有限系      有限系
λ３  →    無限系      無限系      有限系      有限系
【００４９】
すなわち、かかるような回折格子１を有するビーム整形ミラー１６では、入射前の光が有限系の光である必要はなくなり、光路１・２の分だけ（無限系の光が生じている分だけ）、有限系の光の光路が短縮される。そのため、光路３・４で有限系になって対物レンズ１８に進行する光の発散度合いは、例えば光路１〜４で有限系になって対物レンズ１８に進行する光の発散度合いに比べて小さくなり、かかる発散度合いの小さな光に生じる非点収差も少なくなる。その結果、光ピックアップ装置５９では、非点収差が発生しにくくなる。
【００５０】
なお、上述したように、波長の長短の違いにより、レーザ光は２種に分けられ、そのうちの長い波長（λ２・λ３）に対応する光から成る無限系の光が、ビーム整形ミラー１６によって有限系の光に変化されている。これは、対物レンズ１８が短波長（λ１）かつ無限系の光によって球面収差を発生させないように設計されているため、あえて、短波長で無限系の光が、球面収差抑制のために有限系の光に変化する必要がないためである。
【００５１】
したがって、光ピックアップ装置５９は、短波長（例えばλ１）かつ無限系の光で球面収差を発生させないように設計された対物レンズ１８によって、短波長の光に起因する球面収差を確実に抑制しつつ、長波長（例えばλ２・λ３）の光に起因する球面収差も極力抑えるようにしている。その一方で、光ピックアップ装置５９は、抑えきれなかった長波長に起因する球面収差を、有限系の光によって抑えつつ、その有限系の光の光路を短くさせることで、非点収差の発生も抑えている。
【００５２】
ところで、以上のような回折格子１の形状は種々考えられる。例えば、図３に示すように、同心円状の部分を有し、その同心円状の中心を回折格子１における面内中心からずらして配置させているとともに、格子幅を同心円状の中心から外部に向かうにつれて狭めている回折格子１である。
【００５３】
また、回折格子１の配置も種々考えられる。図３での回折格子１における位置Ｐ・Ｑは、図２での位置Ｐ・Ｑと対応している。すなわち、対物レンズ１８に近い位置に位置、回折格子１における同心円状の中心が位置するようになっている。しかし、これに限定されるものではない。例えば、図４に示すように、対物レンズ１８から離れた位置に、回折格子１における同心円状の中心が位置することで、図３と逆方向の関係が成立してもよい。
要は、光の発散度合いや発散させる方向に応じて、回折格子の配置は種々変更されてよい。
【００５４】
［その他の実施の形態］
なお、本発明は上記の実施の形態に限定されず、本発明の趣旨を逸脱しない範囲で、種々の変更が可能である。
【００５５】
例えば、λ１〜λ３の具体的な波長は一例であって、それに（λ１；４０５ｎｍ、λ２；６６０ｎｍ、λ３；７８５ｎｍ）限定されるものではない。要は、複数種類の波長の光を発せられる光ピックアップ装置５９であればよい。
【００５６】
また、光ピックアップ装置５９では、レーザダイオード１１・１２が複数搭載されている。そして、短い方の波長の光の強度分布中心と、長い方の波長の光の強度分布中心とを、ビーム整形ミラー１６を通過した後で一致させるように、レーザダイオード１１・１２が配置されている。
【００５７】
一例としては、図１に示すように、短波長用のレーザダイオード１１の出射面１１ａと、その出射面１１ａに対向するダイクロイックプリズム１３の入射面１３ａとを非平行にする一方、長波長用のレーザダイオード１２の出射面１２ａと、その出射面１２ａに対向するダイクロイックプリズム１３の入射面１３ｂとを平行にする配置が挙げられる。
【００５８】
そして、以上のように、短い方の波長の光の強度分布中心と、長い方の波長の光の強度分布中心とを、ビーム整形ミラー１６を通過した後で一致していれば、強度分布の偏在に起因した各種信号（再生信号、フォーカスエラー信号、トラッキングエラー信号等）の劣化が防止される。
【００５９】
また、コリメータレンズ１５に入射する戻り光（光ディスク４１からの反射光）は、無限系の光である。そこで、コリメータレンズ１５は、戻り光を透過させるとともに、短い方の波長（例えば、λ１）の反射光の集光点と、長い方の波長（例えば、λ２・λ３）の反射光の集光点とを一致させている。
【００６０】
このようになっていれば、１個のフォトダイオード１９の受光面に、波長毎の光の集光点に合致させることで、複数種類の波長の戻り光を受光できる。そのため、波長に応じたフォトダイオードが不要になり、光ピックアップ装置５９、ひいては光ディスク装置のコストダウンが図れることになる。
【００６１】
また、以上の説明では、補正用光学素子の一例としてビーム整形ミラー１６を例に挙げて説明してきたが、これに限定されるものではない。要は、無限系の光を有限系の光に変化させられるような回折格子を含む光学素子（例えば、プリズム）であっても構わない。
【図面の簡単な説明】
【００６２】
【図１】は、光ピックアップ装置の構成図である。
【図２】は、図１でのビーム整形ミラーの拡大図である。
【図３】は、回折格子の平面図である。
【図４】は、図３とは配置を異にする回折格子の平面図である。
【図５】は、従来の補正光学素子の構成図である。
【図６】は、回折格子を備えるビーム整形ミラーの構成図である。
【図７】は、従来の光ピックアップ装置の構成図である。
【図８】は、従来のビーム整形ミラーの構成図である。
【符号の説明】
【００６３】
１    回折格子
１１    第１のレーザダイオード（光源）
１２    第２のレーザダイオード（光源）
１３    ダイクロイックプリズム
１４    ハーフミラー
１５    コリメータレンズ
１６    ビーム整形ミラー（補正用光学素子）
１７    液晶素子
１８    対物レンズ
２１    アクチュエータ
４１    光ディスク
５９    光ピックアップ装置
【図１】
2008140502.tif 000003
【図２】
2008140502.tif 000004
【図５】
2008140502.tif 000005
【図６】
2008140502.tif 000006
【図７】
2008140502.tif 000007
【図８】
2008140502.tif 000008
【図３】
2008140502.tif 000009
【図４】
2008140502.tif 000010